(57)【特許請求の範囲】
【請求項１】
底板（１）と、この底板（１）の側部から立設される閉鎖弁取付板（２）とを有する室外機ケーシングを備えた空気調和機の室外機において、上記閉鎖弁取付板（２）の下部に係止爪（１４）を形成すると共に、上記底板（１）の側縁部近傍に、係止爪（１４）が係脱自在に係止する係止孔（１２）を形成し、上記係止爪（１４）が上記係止孔（１２）に係止して上記閉鎖弁取付板（２）が底板（１）から立設保持された状態で止定部材（１６）で側方から閉鎖弁取付板（２）を底板（１）に固定すべく構成し、さらに上記底板（１）の側縁部近傍にケーシング内方に突出する膨出部（７）を形成すると共に、この膨出部（７）の形成によって底板（１）の下面に凹所（２２）を形成し、また上記閉鎖弁取付板（２）側に向かって斜下方に傾斜して上記膨出部（７）の一部を構成する傾斜壁（９）に、上記係止孔（１２）を形成し、傾斜壁（９）を上記閉鎖弁取付板（２）側へのドレンガイドとしたことを特徴とする空気調和機の室外機。
【請求項２】
上記底板（１）は、水平方向に延びる本体部（３）と、この本体部（３）の縁部に立設される立上壁（４）とを備え、また上記閉鎖弁取付板（２）は、上下方向に延びる本体部（５）と、この本体部（５）の下端からケーシング内方に延びる延伸片部（６）とを備え、上記係止爪（１４）の上記係止孔（１２）への係止状態にて、上記閉鎖弁取付板（２）の本体部（５）の下部から延伸片部（６）へと至る部分が、上記底板（１）の本体部（３）から立上壁（４）へ至る部位にケーシング内方から嵌合して、この嵌合状態にて止定部材（１６）で立上壁（４）の外側方から閉鎖弁取付板（２）を固定していることを特徴とする請求項１の空気調和機の室外機。
【請求項３】
上記閉鎖弁取付板（２）の係止爪（１４）を該閉鎖弁取付板（２）の幅方向に沿って少なくとも２個形成すると共に、上記係止孔（１２）を上記係止爪（１４）に対応させて少なくとも２個形成したことを特徴とする請求項１又は請求項２の空気調和機の室外機。
【請求項４】
上記閉鎖弁取付板（２）の下部に凹部（１５）を設けると共に、上記底板（１）の側縁部近傍にこの凹部（１５）に嵌合して閉鎖弁取付板（２）の位置決めを行う突隆部（１３）を設けたことを特徴とする請求項１〜請求項３のいずれかの空気調和機の室外機。
【発明の詳細な説明】
【０００１】
【発明の属する技術分野】
この発明は、空気調和機の室外機に関するものである。
【０００２】
【従来の技術】
分離型の空気調和機では、室外機と室内機との間に、ガス管及び液管から成る冷媒配管が接続される。そしてこの冷媒配管を介して室外機と室内機との間に冷媒を循環させ、冷熱又は温熱を搬送して室内の空調を行うようになっている。ただ空気調和機の設置時やメンテナンス時においては、室外機と室内機との間に冷媒配管を接続していない場合もあり、このような場合には室外機から冷媒が漏出するのを防止する必要がある。そこでガス管及び液管の室外機出口側に、それぞれ外部から開閉操作可能なガス閉鎖弁及び液閉鎖弁を設け、室外機からの冷媒の漏出を防止できるようにしている。そしてこれに伴って室外機には、上記ガス閉鎖弁及び液閉鎖弁を外部に露出させるよう取り付ける閉鎖弁取付板が設けられている。
【０００３】
図４と図５は従来の空気調和機の室外機ケーシングの一部を示し、このケーシングは、底板５０と、この底板５０の側部に立設される閉鎖弁取付板５１とを有する。そして、底板５０は、水平方向に延びる本体部５２と、この本体部５２の縁部から立設される立上壁５３とを備え、立上壁５３に閉鎖弁取付板５１の下部が溶接箇所５４、５４でスポット溶接にて固着されている。なお、閉鎖弁取付板５１には、水平方向に延びる折曲げ部が形成され、この折曲げ部も底板５０の本体部５２にスポット溶接（図示省略）にて固着されている。また、閉鎖弁取付板５１には、ガス閉鎖弁５８を取り付けるための取付穴５５と、液閉鎖弁５９を取り付けるための取付穴５６とがそれぞれ設けられると共に、各取付穴５５、５６に嵌合された閉鎖弁５８、５９を固定するためのビス孔５７・・が設けられている。
【０００４】
【発明が解決しようとする課題】
ところで上記従来の室外機のケーシングでは、塗装材が使用され、スポット溶接後に塗装を行っていた。ケーシングを塗装材からガルバ材に仕様を変更する際、スポット溶接にて閉鎖弁取付板５１を底板５０に固定した場合、ガルバ材の皮膜が剥がれて短期に錆が発生するという問題点があった。
【０００５】
そこで、皮膜の剥がれによる短期の錆の発生を防止する為に、スポット溶接を採用せずに、ビス止めを行うことによって閉鎖弁取付板５１を底板５０に固定することも可能である。この場合、底板５０の本体部５２にビスを螺着する方法、立上壁５３にビスを螺着する方法、本体部５２及び立上壁５３にビスを螺着する方法等がある。
【０００６】
しかしながら、底板５０の本体部５２にビスを螺着した場合、ケーシング底面から突出したビスの一部がいわゆる「エッジ」になり、運搬作業時において安全性を確保することができない。また、立上壁５３にビスを螺着した場合、各閉鎖弁に装着されるフレアナットの開閉等の作業時に閉鎖弁取付板５１ががたつくおそれがあり、２箇所以上のビス止めを必要とし、閉鎖弁取付板５１の取付け作業が面倒であった。
【０００７】
この発明は、上記従来の課題を解決するためになされたものであって、その目的は、簡単な作業で確実に閉鎖弁取付板を底板に固定することが可能であり、しかも安全性に優れ、かつ閉鎖弁取付板のがたつきを有効に防止することが可能な空気調和機の室外機を提供することにある。
【０００８】
【課題を解決するための手段】
そこで請求項１の空気調和機の室外機は、底板１と、この底板１の側部から立設される閉鎖弁取付板２とを有する室外機ケーシングを備えた空気調和機の室外機において、上記閉鎖弁取付板２の下部に係止爪１４を形成すると共に、上記底板１の側縁部近傍に、係止爪１４が係脱自在に係止する係止孔１２を形成し、上記係止爪１４が上記係止孔１２に係止して上記閉鎖弁取付板２が底板１から立設保持された状態で止定部材１６で側方から閉鎖弁取付板２を底板１に固定すべく構成し、さらに上記底板１の側縁部近傍にケーシング内方に突出する膨出部７を形成すると共に、この膨出部７の形成によって底板１の下面に凹所２２を形成し、また上記閉鎖弁取付板２側に向かって斜下方に傾斜して上記膨出部７の一部を構成する傾斜壁９に、上記係止孔１２を形成し、傾斜壁９を上記閉鎖弁取付板２側へのドレンガイドとしたことを特徴としている。
【０００９】
この請求項１の空気調和機の室外機では、係止爪１４の係止孔１２への係止と、止定部材１６での固着とによって確実に閉鎖弁取付板２を底板１に立設、固定することができ、各閉鎖弁に装着されるフレアナットの開閉作業時における閉鎖弁取付板２のがたつきを防止することができる。また、止定部材１６でもって、側方から閉鎖弁取付板２を固定しているので、止定部材１６の一部が底板１の底面側に突出することはない。また、この空気調和機の室外機では、空気調和機の使用時におけるドレン水が、傾斜壁９に案内（ガイド）されて、底板１の裏面側に流れ出すことなく閉鎖弁取付板２側に流れる。従って、ドレン排出部以外からドレンが外部に滴下（排出）するのを防止できる。
【００１０】
また、請求項２の空気調和機の室外機は、上記底板１は、水平方向に延びる本体部３と、この本体部３の縁部に立設される立上壁４とを備え、また上記閉鎖弁取付板２は、上下方向に延びる本体部５と、この本体部５の下端からケーシング内方に延びる延伸片部６とを備え、上記係止爪１４の上記係止孔１２への係止状態にて、上記閉鎖弁取付板２の本体部５の下部から延伸片部６へと至る部分が、上記底板１の本体部３から立上壁４へと至る部位にケーシング内方から嵌合して、この嵌合状態にて止定部材１６で立上壁４の外側方から閉鎖弁取付板２を固定していることを特徴としている。
【００１１】
この請求項２の空気調和機の室外機では、係止爪１４の係止孔１２への係止状態にて、閉鎖弁取付板２の本体部５の下部から内方延伸片部６へと至る部分が、底板１の本体部３から立上壁４へと至る部位にケーシング内方から嵌合するので、閉鎖弁取付板２の底板１からの立設状態が安定し、閉鎖弁取付板２の底板１への取付け作業が安定する。
【００１４】
また、請求項３の空気調和機の室外機は、上記閉鎖弁取付板２の係止爪１４を該閉鎖弁取付板２の幅方向に沿って少なくとも２個形成すると共に、上記係止孔１２を上記係止爪１４に対応させて少なくとも２個形成したことを特徴としている。
【００１５】
この請求項３の空気調和機の室外機では、係止爪１４の係止孔１２への係止が閉鎖弁取付板２の幅方向にすくなくとも２箇所設けられ、閉鎖弁取付板２のがたつき防止をより確実に行うことができ、そのため止定部材１６としては、１本で十分となる。
【００１６】
また、請求項４の空気調和機の室外機は、上記閉鎖弁取付板２の下部に凹部１５を設けると共に、上記底板１の側縁部近傍にこの凹部１５に嵌合して閉鎖弁取付板２の位置決めを行う突隆部１３を設けたことを特徴としている。
【００１７】
この請求項４の空気調和機の室外機では、閉鎖弁取付板２の取付け作業時おいて、閉鎖弁取付板２の位置決めすることができ、取付け作業性が向上する。
【００１８】
【発明の実施の形態】
次に、この発明の空気調和機の室外機の具体的な実施の形態について、図面を参照しつつ詳細に説明する。
【００１９】
図１は空気調和機の室外機ケーシングの要部分解斜視図を示し、この室外機ケーシングは、ガルバ材（メッキ材）等からなり、底板１と、この底板１の側部から立設される閉鎖弁取付板２とを有する。底板１は、水平方向に延びる本体部３と、本体部３の縁部から立設される立上壁４とを備え、閉鎖弁取付板２は、上下方向に延びる本体部５と、この本体部の下端からケーシング内方に突出する延伸片部６とを備える。
【００２０】
底板１の本体部３には、図示省略の圧縮機等を取付ける為の種々の突隆部が設けられると共に、底板１の側縁部近傍、具体的には、本体部３の側部の立上壁４近傍であって、本体部幅方向の略中間部位にケーシング内方に突出する山型の膨出部７が設けられている。この膨出部７は、図２に示すように、その断面形状が略台形状とされ、上壁８と、上壁８から閉鎖弁取付板２側に向かって順次斜下方向に傾斜する傾斜壁９と、上壁８から反閉鎖弁取付板２側に向かって順次斜下方向に傾斜する傾斜壁１０とを備え、傾斜壁９と傾斜壁１０とは図３に示すように、膨出部長手方向（閉鎖弁取付板幅方向）端部にて連続壁を介して連続している。そして、この膨出部７を形成することによって、底板１の下面に、図２に示すような凹所２２を形成する。この凹所２２は、運搬作業時における作業者の把持部となって、運送の容易化を図っている。
【００２１】
また、傾斜壁９には、閉鎖弁取付板２側に向かって順次斜下方向に開口する係止孔１２を形成している。具体的には、上壁８と連続した水平方向に延びる第１部１１ａと、この第１部１１ａから連設されると共に傾斜壁９と所定間隔をもって略平行に配設される第２部１１ｂと、からなる突片１１を設けることによって、この係止孔１２を形成している。ところで、この傾斜壁９は、冷媒配管等から落下する水滴を閉鎖弁取付板２側に流れるようガイド（案内）している。
【００２２】
さらに、底板１の側縁部近傍、具体的には、膨出部７と立上壁４との間に、ケーシング内方に突出する突隆部１３、１３（図１と図３参照）が設けられている。この場合、突隆部１３は、ケーシング内方から閉鎖弁取付板２側に向かって順次拡開すると共に高くなるいわゆる「山型形状」とされ、閉鎖弁取付板２幅方向に沿って２個配設されている。
【００２３】
次に、閉鎖弁取付板２は、上述の如く、図１と図２に示すように、上下方向に延びる本体部５と、この本体部５の下端から突設さえれる延伸片部６とを備える。また、本体部５は膨出部５ａを有する。そして、延伸片部６は、本体部５の下部から水平方向に延びる第１片６ａと、この第１片６ａから斜上方に向かって傾斜する第２片６ｂとを備える。従って、図２に示すように、閉鎖弁取付板２が底板１に固定された状態（後述する係止爪１４が上記係止孔１２に係止した状態）では、延伸片部６は、第１片６ａが底板１の本体部３の膨出部７と立上壁４との間の内面に嵌合（当接）し、第２片６ｂが膨出部７の傾斜壁９表面に嵌合（当接）する。言い換えれば、閉鎖弁取付板２の本体部５の下部から延伸片部６へと延びる部分が、上記底板１の本体部３から立上壁４へと延びる部位にケーシング内方から嵌合（当接）し、この立上壁４と底板１の本体部３の立上壁４近傍部位が凹所２３となると共に、閉鎖弁取付板２の本体部５の下部と延伸片部６とが、この凹所２３に嵌合する凸所２４となって、閉鎖弁取付板２の立ち上がり状態をより安定させている。
【００２４】
また、図１に示すように、閉鎖弁取付板２の下部、即ち、延伸片部６の第１片６ａには凹部１５、１５が設けられ、この凹部１５、１５に上記底板１に設けられた突隆部１３、１３がそれぞれ嵌合し、閉鎖弁取付板２位置決めがなされる。なお、これら凹部１５と突隆部１３としては、それぞれ、図例のような２個に限るものではなく、勿論、それぞれ１個づつであってもよく、３個づつ以上であってもよい。さらには、形状としても、図例のものに限るものではなく、要は、凹部１５に突隆部１３が嵌合して閉鎖弁取付板２の位置決めがなされればよく、例えば、断面形状が円弧状や矩形状等の突隆部１３であってもよい。
【００２５】
さらに、延伸片部６の先端辺側には、図１〜図３に示すような略矩形状の係止爪１４、１４が閉鎖弁取付板２幅方向に沿って２個突設される。この場合、係止爪１４は、その厚さ寸法ｔを突片１１の第２部１１ｂと傾斜壁９との間寸法ｓと同一または僅かに小さく設定すると共に、その幅寸法としては、係止孔１２を形成するための突片１１の幅寸法と略同一に設定して、図２と図３に示すように、係止爪１４の係止孔１２への嵌合（係止）を可能とすると共に、その係止状態でがたつかないように設定している。勿論、係止爪１４の突出長さとしても、係止状態で、その先端が突片１１に当接または僅かな隙間をもって対向するように設定される。
【００２６】
そして、係止爪１４が係止孔１２に係止した状態で立上壁３の側方（この場合外側方）から止定部材としてのボルト部材１６が螺合され、閉鎖弁取付板２が底板１に固定される。即ち、図１に示すように、立上壁３に貫孔１７を設けると共に、閉鎖弁取付板２の本体部５の下部にネジ孔１８を設け、ボルト部材１６のネジ部を貫孔１７を介してネジ孔１８に螺着する。
【００２７】
また、閉鎖弁取付板２の本体部５には、液閉鎖弁（図示省略）を取り付けるための取付孔１９とガス閉鎖弁（図示省略）を取り付けるための取付孔２０とが設けられると共に、各閉鎖弁をこの閉鎖弁取付板２に固定するためのビス孔２１・・が設けられている。
【００２８】
上記のように構成された室外機によれば、閉鎖弁取付板２の凹部１５、１５を底板１の突隆部１３、１３に嵌合させると共に、閉鎖弁取付板２の係止爪１４、１４を底板１の係止孔１２、１２に係止させて、閉鎖弁取付板２の本体部５の下部と延伸片部６とを立上壁４と底板１の本体部３の立上壁４近傍部位とにケーシング内方から嵌合させ、この状態で、立上壁３の外側方からボルト部材１６を螺合させれば、簡単かつ確実に閉鎖弁取付板２を底板１に固定することができる。しかも、螺着すべきボルト部材１６としては１本でよく、かつ、その螺着作業としても外側方から行うことができ、極めて作業性に優れる。
【００２９】
このように閉鎖弁取付板２を固定した状態では、冷媒配管等から落下する水滴が傾斜壁９にガイドされて閉鎖弁取付板２側に流れ、水滴が係止孔１２を介して外部へ排出されない。つまり、ドレン排出部以外からドレンが排出されない利点がある。
【００３０】
以上にこの発明の具体的な実施の形態について説明したが、この発明は上記形態に限定されるものではなく、この発明の範囲内で種々変更して実施することができる。例えば、係止孔１２及び係止爪１４が、閉鎖弁取付板２の幅方向に沿って２箇づつ設けれているが、勿論、３個づつ以上であっても、逆に１個づつであってもよいが、すくなくとも２個づつあれば、閉鎖弁取付板２のがたつきを有効に防止するこたができる利点がある。また、螺着されるボルト部材１６としては、図例では、１本のビスとしているが、１本に限らず、複数本であってもよく、また、ボルトとナットからなるものでもよい。さらに、ボルト部材１６の螺着方向としても、内側方（ケーシング内）からであってもよい。
【００３１】
【発明の効果】
上記請求項１の空気調和機の室外機では、係止爪の係止孔への係止と、止定部材の螺合とによって確実に閉鎖弁取付板を底板から立設することができ、各閉鎖弁に装着されるフレアナットの開閉等の作業時における閉鎖弁取付板のがたつきを有効に防止することができる。また、止定部材により、閉鎖弁取付板をその側方から固定するものであるので、作業性に優れると共に、止定部材の一部が底板の底面側に突出せず、この止定部材の一部がエッジになることがなく、運搬作業時等に安全性を確保することができる。しかも、スポット溶接を使用しないので、ガルバ材の皮膜の短期剥がれを有効に防止することができ、室外機のケーシングとして耐用性を向上させれことができる。また、この空気調和機の室外機では、冷媒配管等から落下する水滴が傾斜壁にガイドされて閉鎖弁取付板側に流れ、水滴が係止孔を介して外部へ排出されない。従って、ドレン排出部以外からドレンが排出されず、この室外機の設置面を汚したり、濡らしたりしない。また、底板に膨出部を形成することによって、底板の下面に凹所が形成され、この凹所が作業者の把持部となって、室外機の運搬作業の容易化を図ることができる。
【００３２】
請求項２の空気調和機の室外機では、係止爪の上記係止孔への係止状態にて閉鎖弁取付板の本体部の下部から延伸片部へと至る部分が、立上壁と底板の本体部から立上壁へと至る部位にケーシング内方から嵌合するので、閉鎖弁取付板の固定時において安定してこの閉鎖弁取付板を立設保持することができ、組立作業性が向上する。
【００３４】
請求項３の空気調和機の室外機では、より確実に閉鎖弁取付板のがたつきを防止することがで、止定部材としても１本で十分となり、作業工数の減少を図って作業効率の向上を図ることができる。
【００３５】
請求項４の空気調和機の室外機では、閉鎖弁取付板の取付け作業時においてこの閉鎖弁取付板の底板に対する位置決めを行うことができ、取付け作業の短縮化を図ることができる。
【図面の簡単な説明】
【図１】この発明の一実施形態の空気調和機の室外機の要部分解斜視図である。
【図２】室外機ケーシングの要部拡大断面図である。
【図３】室外機ケーシングの要部平面図である。
【図４】従来の室外機ケーシングの側面図である。
【図５】従来の室外機ケーシングの簡略斜視図である。
【符号の説明】
１  底板
２  閉鎖弁取付板
３  本体部
４  立上壁
５  本体部
６  延伸片部
７  膨出部
９  傾斜壁
１２  係止孔
１３  突隆部
１４  係止爪
１５  凹部
１６  止定部材
【図１】
0003565148.tif 000002
【図２】
0003565148.tif 000003
【図３】
0003565148.tif 000004
【図４】
0003565148.tif 000005
【図５】
0003565148.tif 000006